(57)【要約】      （修正有）【課題】多種の付加機能容器を兼ね備え、迅速に飲み物を作るモジュール化した容器を提供する。【解決手段】キャップを有する第一容器を備え、前記キャップ上には飲み口部品を設ける。また、モジュール化した容器には第二容器を備え、第二容器の上部は前記第一容器の下部と接合する。前記第二容器の下部に取り付ける温度ユニットは前記第二容器に対して加熱、冷却、保温、保冷等の作用を加えるものである。前記第一容器、第二容器は連通状態をなし、前記第一容器或いは第二容器間には更に制御バルブを設ける。使用者は飲み物のもと及び飲水をそれぞれ予め前記第一容器及び第二容器内に配置し、飲み物を作る時、使用者は予め温度ユニットによって第二容器内の飲水を予定温度に加熱するが、使用者は制御バルブの回転ねじり部をひねるだけでバタフライバルブを動かして開いた状態にし、この時、第一容器内の飲み物のもとはバタフライバルブから落下し、第二容器内の水中に落ちる。【選択図】図１
0003163484.tif 000002
【実用新案登録請求の範囲】
【請求項１】
飲み口部品を設けるキャップを有する第一容器と、
上部が前記第一容器の下部と接合し相互に連通する第二容器と、
前記第二容器の下部に取り付け、前記第二容器に対して加熱、冷却、保温、保冷等の作用を加える温度ユニットと、
前記第一容器及び第二容器間に設ける制御バルブとを備えることを特徴とするモジュール化した容器。
【請求項２】
前記第一容器の下部、第二容器の下部、及び制御バルブの下部にはそれぞれ第一ねじ山を備え、前記第二容器の上部、制御バルブの上部、及び温度ユニットの上部にはそれぞれ第二ねじ山を備え、前記第一ねじ山及び第二ねじ山を相互に螺着することを特徴とする請求項１記載のモジュール化した容器。
【請求項３】
前記温度ユニットは電熱器とし、前記電熱器に備える電源装置は発熱装置及び制御インターフェースに電気的に接続し、前記制御インターフェースにはプッシュボタン或いは弾棒等の部品を設け、前記制御インターフェースは前記電熱器の加熱温度や加熱時間をコントロールし、加熱温度を更に正確にコントロールし掌握できるようにし、前記電熱器は第二容器に対して加熱を行い、第二容器内の飲水を温めることを特徴とする請求項１記載のモジュール化した容器。
【請求項４】
前記温度ユニットは冷却器とし、前記冷却器に備える電源装置は冷却装置及び制御インターフェースに電気的に接続することを特徴とする請求項１記載のモジュール化した容器。
【請求項５】
前記第一容器のキャップには更にコントロールスイッチを設け、前記コントロールスイッチは伸縮スイッチで、嵌合部を備える押圧構造を内設し、前記押圧構造の上端をプッシュ部とし、下端を押圧部とし、前記嵌合部の下方には弾性部品を設け、前記弾性部品は押圧構造の嵌合部を押し上げるため、前記プッシュ部はコントロールスイッチの外側に露出し、前記第一容器の底部には押圧構造の押圧部に対応する第一開口を設け、前記第一開口には蓋を被嵌し、前記蓋の一方側と第一容器の一方側とは連結し、前記押圧構造の押圧部は丁度蓋に接触することを特徴とする請求項１記載のモジュール化した容器。
【請求項６】
前記第一容器の底部には更に第一開口を設け、前記第一開口のエッジ箇所には下方向に突出する開口突出エッジを突設し、前記開口突出エッジは丁度前記第二容器内に嵌合し、前記第一容器の第一ねじ山は第二容器に螺着し、最後まで螺着すると、前記開口突出エッジは丁度第二開口を突出し、前記第二開口の蓋を押し開くことを特徴とする請求項１記載のモジュール化した容器。
【請求項７】
飲み口部品を設けるキャップを有し、仕切ネットを内設する第一容器と、
上部が前記第一容器の下部と接合し相互に連通する第二容器と、
前記第二容器の下部に取り付け、前記第二容器に対して加熱、冷却、保温、保冷等の作用を加える温度ユニットとを備えることを特徴とするモジュール化した容器。
【請求項８】
前記第一容器の下部、第二容器の下部にはそれぞれ第一ねじ山を備え、前記第二容器の上部及び温度ユニットの上部にはそれぞれ第二ねじ山を備え、前記第一ねじ山及び第二ねじ山を相互に螺着することを特徴とする請求項７記載のモジュール化した容器。
【請求項９】
前記温度ユニットは電熱器とし、前記電熱器に備える電源装置は発熱装置及び制御インターフェースに電気的に接続し、前記制御インターフェースにはプッシュボタン或いは弾棒等の部品を設け、前記制御インターフェースは前記電熱器の加熱温度や加熱時間をコントロールし、加熱温度を更に正確にコントロールし掌握できるようにし、前記電熱器は第二容器に対して加熱を行い、第二容器内の飲水を温めることを特徴とする請求項７記載のモジュール化した容器。
【請求項１０】
前記温度ユニットは冷却器とし、前記冷却器に備える電源装置は冷却装置及び制御インターフェースに電気的に接続することを特徴とする請求項７記載のモジュール化した容器。
【請求項１１】
前記第一容器の底部には更に第一開口を設け、前記第一開口のエッジ箇所には下方向に突出する開口突出エッジを突設し、前記開口突出エッジは丁度前記第二容器内の第二開口に嵌合し、前記第二容器の第二開口には更に前記蓋を被嵌し、前記蓋の一方側は更に第二開口外の一方側に連結し、前記第一容器の第一ねじ山は第二容器に螺着し、最後まで螺着すると前記開口突出エッジは丁度第二開口を突出して前記第二開口の蓋を押し開くことを特徴とする請求項７記載のモジュール化した容器。
【考案の詳細な説明】
【技術分野】
【０００１】
本考案はモジュール化した容器に係り、特に組み立て構造を有し迅速に飲み物を作る容器装置に関する。
【背景技術】
【０００２】
お湯を注いで飲み物を作るには多くの複雑で面倒なプロセスや器具を必要とし、飲み物のもとと液体間には区切りが必要であり、お湯を注ぐ場合には適当な温度が必要で、お湯を注いだ後の保温、洗浄等の後続動作にも実に多大な知識を必要とする。
【考案の概要】
【考案が解決しようとする課題】
【０００３】
お母さんが子供の為にスキムミルクを作る例をあげると、先ず適当な比率の冷水及び熱湯を注ぎ、予期する水温にした後、更に適量のミルクパウダーを加えて水中で溶かす。その間に準備すべき関連用品には、哺乳瓶、湯沸かしのための機器（或いは保温器）、ミルクパウダー、その他充填容器が含まれ、関連物品が非常に多く複雑であるだけでなく、多くの物品は清浄が簡単かどうか等の衛生問題を考えておらず、湯沸かしのための機器や保温器の多くは体積が大きく、携帯に不便で、しかも倒れてしまう等の安全上の問題点が残る。
【０００４】
考案者は公知欠点に鑑み特に本考案を研究開発し、本考案の出願により現有する欠点を改善し当該製品を更に完全に理想的に実用性のあるものとすることを期待する。
【課題を解決するための手段】
【０００５】
本考案のモジュール化した容器の目的は、モジュール化した規格の量産方式によって複数の容器をまとめたタワータイプとし、並びに多種の付加機能容器を兼ね備えた設計である。
【０００６】
前述の目的を達成するため、本考案の具体的な技術手段は次の通りである。
【０００７】
モジュール化した容器にはキャップを備える第一容器を設け、前記キャップ上には飲み口部品を設ける。
【０００８】
モジュール化した容器には第二容器を備え、第二容器の上部は前記第一容器の下部と接合する。
【０００９】
前記第二容器の下部に取り付ける温度ユニットは前記第二容器に対して加熱、冷却、保温、保冷等の作用を加える。
【００１０】
前記第一容器、第二容器は連通状態をなし、前記第一容器或いは第二容器間には更に制御バルブを設ける。
【００１１】
前記技術手段により、本考案が達成可能な具体的な効果は次のとおりである。使用者は飲み物のもと及び水をそれぞれ予め前記第一容器及び第二容器内に配置し、前記飲み物のもとを前記制御バルブの上に置く。飲み物を作る時、使用者は制御バルブを開いた状態にすると、第一容器内の飲み物のもとは第二容器内の水の中に落ち、水に溶け込む作用を起こす。使用者は水に溶かす前に予め温度ユニット３によって第二容器２内の水を加熱するか冷却しているため、暖かい飲み物か冷たい飲み物ができる。本考案に設置した制御バルブ構造により、飲み物のもとを簡単な操作で水の中に落として飲み物を作ることができ、第一容器及び第二容器の着脱や飲み物のもとを傾ける等の面倒なステップが不要で、飲み物作りを更に簡便にする。
【００１２】
前記第一容器或いは第二容器内部或いは両者間には仕切ネットを設け、本実施例は茶葉を入れるのに適する。使用者は茶葉及び水をそれぞれ第一容器の仕切ネット上及び第二容器内に置き、飲み物を作る時は温度ユニットを使って第二容器内の飲水を加熱し、飲水を予定温度まで加熱した後、第一容器と第二容器を逆にして飲水と茶葉を混ぜ合わせることにより茶葉をお湯の中に浸す。茶葉は仕切ネットで遮断されるため、使用者は飲用時に茶葉を飲んでしまうことはなく、飲み終わった茶カスは仕切ネット上に留まるため清浄が便利である。使用者はまた、直接瓶全体を逆さまにして水を仕切ネットに通過させると水は第一容器に進入し、一定時間経過後更に瓶を元に戻すと水も第二容器に戻り、茶葉が長い時間水中に浸り濃度を高めてしまうのを防止する。
【考案の効果】
【００１３】
本考案のモジュール化した容器はモジュール化した規格の量産方式によって複数の容器をまとめたタワータイプであり、多種の付加機能容器を兼ね備え、迅速に飲み物を作る効果を有する。
【図面の簡単な説明】
【００１４】
【図１】本考案の立体外観図である。
【図２】本考案の立体分解図である。
【図３】本考案の第二実施例図である。
【図４】本考案の第三実施例図である。
【図５】本考案の第三実施例に関する動作状態図である。
【考案を実施するための形態】
【００１５】
本考案のモジュール化した容器の構成要素及びそれが生じる効果については図面を組み合わせた実施例に基づき以下の通り詳細説明を行う。
【００１６】
図１に示す通り本考案のモジュール化した容器は、キャップ１２を備える第一容器１を備え、前記キャップ１２上には飲み口部品１１を設け、前記飲み口部品１１は壷口タイプ、哺乳瓶口タイプ、ストロー（未図示）等とする。
【００１７】
第二容器２の上部は前述第一容器１の下部と接合し連通状態をなす。
【００１８】
前記第二容器２の下部に取り付ける温度ユニット３は前記第二容器２に対して加熱、冷却、保温、保冷等の作用を加える。
【００１９】
制御バルブ６は第一容器１と第二容器２の間に設け、前記制御バルブ６内には回転ねじり部６１とバタフライバルブ６０を軸着し、前記バタフライバルブ６０は前記回転ねじり部６１のねじり回転作用に従い開閉する。前記制御バルブ６は回転ねじり部６１及びボールバブル（未図示）により構成され、前記制御バルブ６の上下部分はそれぞれ第二ねじ山６Ｂ及び第一ねじ山６Ａを備える。
【００２０】
図３に示す通り、前記第一容器１の下部、第二容器２の下部、制御バルブ６の下部にはそれぞれ第一ねじ山１Ａ、２Ａ、６Ａを備え、前記第一容器１の上部、第二容器２の上部、制御バルブ６の上部、及び温度ユニット３の上部にはそれぞれ第二ねじ山２Ｂ、３Ｂ、６Ｂを備え、前記第一容器１の第一ねじ山１Ａ及び制御バルブ６の第二ねじ山６Ｂを相互に螺着し、制御バルブ６の第一ねじ山６Ａは第二容器２の第二ねじ山２Ｂと相互に螺着し、前記第一容器１は制御バルブ６と第二容器２とを組み合わせて、前記第二容器２と温度ユニット３とはそれぞれ第一ねじ山２Ａと第二ねじ山３Ｂとを相互に装着する。
【００２１】
使用者が飲水を加熱し飲み物を作る場合を例にとると、使用者は第一容器１及び第二容器２内に飲み物のもととなるもの（未図示）及び飲水を予め置き、お湯を注ぐ時は先ず温度ユニット３で第二容器２内の飲水を予定温度まで加熱すると、使用上は非常に便利なものとなり、特に外出時に使用する場合は更に本考案の迅速作業完了の特性が顕著であり、また、事後の収納は非常に簡単なものとなり、第一容器１、制御バルブ６、第二容器２及び温度ユニット３を一つ一つ組み合わせるだけで乱れずバラバラになることもない。
【００２２】
前記温度ユニット３は電熱器とし（未図示）、前記電熱器に備える電源装置は発熱装置及び制御インターフェースに電気的に接続し、前記制御インターフェースにはプッシュボタン或いは弾棒等の部品を設け、前記制御インターフェースは前記電熱器の加熱温度や加熱時間をコントロールし、加熱温度を更に正確にコントロールし掌握できるようにする。前記電熱器は第二容器２に対して加熱を行い、第二容器２内の水を温める。
【００２３】
前記温度ユニット３は更に冷却器とすることも可能であり（未図示）、前記冷却器に備える電源装置は冷却装置及び制御インターフェースに電気的に接続し、前記制御インターフェースにはプッシュボタン或いは弾棒等の部品を設け、前記制御インターフェースは前記冷却器の第二容器２に対する温度低下をコントロールし、第二容器２内の水を冷たくする。
【００２４】
使用者は飲み物のもと及び水（未図示）をそれぞれ予め前記第一容器１及び第二容器２内に配置し、前記飲み物のもとを前記制御バルブ６のバタフライバルブ６０上に置く。飲み物を作る時、使用者は回転ねじり部６１をひねるだけでバタフライバルブ６０を動かして開いた状態にし、この時、第一容器１内の飲み物のもとはバタフライバルブ６０から落下し、第二容器２内の水中に落ち、水に溶け込む。使用者は水に溶かす前に予め温度ユニット３によって第二容器２内の水を加熱するか冷却しているため、暖かいか冷たい飲み物ができる。
【００２５】
前記温度ユニット３は更に自熱ボックス（未図示）とし、前記自熱ボックスは鉄粉、蛭石、活性炭、食塩等を主要成分とし、蛭石及び活性炭が水分を吸収して鉄を酸化させた後放熱する（反応方程式は4Fe+302R2Fe203）ことを前記自熱ボックスの発熱原理とする。前記自熱ボックスのもう一つの実施方式は過飽和溶液酢酸ナトリウム（sodium acetate, CH3 COONa）内に金属部品を設置したものである。過飽和溶液の濃度が高すぎるため安定しているとは言えず、使用者が金属部品をねじ曲げた時に生じる軽微な振動によって充分に溶質結晶を安定性のある固体に変化させられる。しかしながら、この過程は放熱であるため、自熱ボックスは加温作用を生じさせる。この実施方式の長所は即ち繰り返し使用できることにあり、自熱ボックスを沸騰した水に入れて加熱するだけで、凝結した溶質が再度溶解する。これは高温状態において溶質の可溶性が増加するためである。溶解する過程で溶質は吸熱反応を起こし、再度過飽和溶液となる。使用者は自熱ボックスが生じる熱エネルギーを使って第二容器２に対して加温加熱を行う。
【００２６】
前記温度ユニット３は更に保温ボックス（未図示）とすることも可能であり、保温ボックスには保温成分を含み、前記保温成分は粘着状のプロピレングリコールとし、前記保温ボックスに前記第二容器２に対する保温や保冷効果を生じさせる。
【００２７】
図２に示す通り、前記第一容器１、第二容器２は更に連通状態をなし、前記第一容器１或いは第二容器２内部或いは両者間には更に仕切ネット５を設け、この実施例は茶葉を入れるのに適する。使用者は茶葉（未図示）及び水（未図示）をそれぞれ第一容器１の仕切ネット５上及び第二容器２内に置き、お湯を茶葉に混ぜる時は電熱器を実施例とする温度ユニット３を使って第二容器２内の水を加熱し、水を予定温度まで加熱した後、第一容器１と第二容器２を逆にして水と茶葉を混ぜ合わせることにより茶葉をお湯の中に浸す。使用者はまた、瓶全体を逆さまにして水を仕切ネットに通過させると水は第一容器１に進入し、一定時間経過後更に瓶を元に戻すと水も第二容器に戻り、茶葉が長い時間水中に浸り濃度を高めてしまうのを防止する。茶葉は仕切ネット５で遮断されるため、使用者は飲用時、茶葉を飲んでしまうことは起こらず、飲用が完了すると、茶カスは仕切ネット５上に留まるため使用者が清浄するのに便利である。
【００２８】
図３に示す通り、前記第一容器１のキャップ１２には更にコントロールスイッチ１２１を設けることも可能であり、前記コントロールスイッチ１２１は伸縮スイッチで、嵌合部１２１１１を備える押圧構造１２１１を内設する。前記押圧構造１２１１の上端をプッシュ部１２１１０とし、下端を押圧部１２１１２とし、前記嵌合部１２１１１の下方には弾性部品１２１２を設け、前記弾性部品１２１２は押圧構造１２１１の嵌合部１２１１１を押し上げるため、前記プッシュ部１２１１０はコントロールスイッチ１２１の外側に露出する。前記第一容器１の底部には押圧構造１２１１の押圧部１２１１２に対応する第一開口１００を設け、前記第一開口１００には蓋１０を被嵌し、前記蓋１０の一方側と第一容器１の一方側は連結する。前記押圧構造１２１１の押圧部１２１１２は丁度蓋１０に接触する。使用者がコントロールスイッチ１２１の押圧構造１２１１のプッシュ部１２１１０を押すと、押圧構造１２１１の押圧部１２１１２は丁度蓋１０に接触し、蓋１０は押圧部１２１１２によって押し開かれ、その後、弾性部品１２１２は更に押圧構造１２１１の嵌合部１２１１１を押し上げるため押圧構造１２１１は元の位置に戻る。使用者は予め第一容器１及び第二容器２内に飲み物のもととなるものと水をそれぞれ配置しており、飲み物を作る時、キャップ１２上のコントロールスイッチ１２１のプッシュ部１２１１０を押すだけでよく、この時、前記蓋１０は押圧部１２１１２に押されて開き第一容器１内の飲み物のもととなるものが第一容器１の第一開口１００から第二容器２の水中に落ちて飲み物を作る作用を生じさせる。使用者は飲み物を作る前に予め温度ユニット３を使って第二容器２内の水を加熱するか冷却して暖かい飲み物または冷たい飲み物を作る。
【００２９】
図４及び図５に示す通り、第一容器１の底部には更に第一開口１００を設けることも可能であり、前記第一開口１００のエッジ箇所には開口突出エッジ１９を突設し、前記開口突出エッジ１９は丁度前記第二容器２内の第二開口２０に嵌合し、前記第二容器２の第二開口２０には更に前記蓋１０を被嵌し、前記蓋１０の一方側は更に第二開口２０外の一方側に連結する。前記第一容器１の第一ねじ山１Ａは第二容器２の第二ねじ山２Ｂに螺着し、最後まで螺着すると、前記開口突出エッジ１９は丁度第二開口２０を突出し、前記第二開口２０の蓋１０を押し開く。第一容器１及び第二容器２内にはそれぞれ飲み物のもととなるものと水を置き、使用者は第一容器１を動かすだけで、第一容器１は最後まで螺着し、前記第一開口１００の開口突出エッジ１９は丁度第二開口２０を突出し、第二開口２０の蓋１０を押し開く。この時、第一容器１内の飲み物のもととなるものは第一容器１の第一開口１００から第二容器２の水の中に落ちて飲み物が作られる。
【００３０】
前述した本考案は洗浄が簡単で水と飲み物のもととなるものが完全に区切られ、飲み物のもとを簡単な操作で水の中に落として飲み物を作ることができるもので、第一容器１及び第二容器２の着脱や飲み物のもとを傾ける等の煩雑なステップが必要なく、飲み物を更に気軽に、簡単に、素早く作ることができる。
【００３１】
本考案は第一容器１或いは第二容器２の他、更にベルト７を取り付けて使用者の携帯を便利にすることも可能である。前記ベルト７は固定部品７１によって第一容器１或いは第二容器２に固定する。
【００３２】
本考案は飲み物を作るのに必要な各構成要素を一つにまとめたもので、公知の瓶や缶を携帯したりして収納する不便を改善する。また、仕切ネット５及び可動式の制御バルブ６の設計によってお湯に入れて飲み物を作る動作を更に便利に迅速にし、しかも事後の洗浄や片付けを簡単にする。
【００３３】
前述した通り、本考案のモジュール化した容器は、その技術内容が完全に実用新案出願要件に符合するものであり、本考案は産業上に確実な利用価値があり、出願前の刊行物には見られず公開使用されているものもなく、公知技術ではない。
【００３４】
本考案は前記実施例を用いて説明したが、その形態及び詳細を変化させる事は本考案の精神から逸脱せずに達成でき、当該技術の熟知者によって理解することも可能である。前述した本考案の実施例は本考案の原理を用いて具体的に実施した一方式であるだけで、本考案を制限するものではなく、後述する実用新案登録請求の範囲に基づくものを基準とする。
【符号の説明】
【００３５】
１    第一容器
１０    蓋
１００  第一開口
１００１  開口突出エッジ
１１    飲み口部品
１２    キャップ
１２１  コントロールスイッチ
１２１１  押圧構造
１２１１０  プッシュ部
１２１１１  嵌合部
１２１１２  押圧部
１２１２  弾性部品
１Ａ、２Ａ、６Ａ  第一ねじ山
２Ｂ、３Ｂ、６Ｂ  第二ねじ山
２    第二容器
２０    第二開口
３    温度ユニット
５    仕切ネット
６    制御バルブ
６０    バタフライバルブ
６１    回転ねじり部
７    ベルト
７１    固定部品
【図１】
0003163484.tif 000003
【図２】
0003163484.tif 000004
【図３】
0003163484.tif 000005
【図４】
0003163484.tif 000006
【図５】
0003163484.tif 000007